(57)【要約】【目的】帽子を装着したとき、その装着した帽子全体により髪が抑えつけられてしまい、もって髪型が崩されたり、髪型がペチャンコになってしまうことがなく、髪型の崩れが気になり、帽子の装着を敬遠する人に配慮した髪型保持帽子を提供することを目的とする。【構成】帽子の内側面に、略ドーム状膨らみ部を形成すべく、湾曲保持片を複数本略並行方向に間隔をあけて取り付けてなり、かつ形成した略ドーム状膨らみ部に接するプラムに第２膨らみ部を形成し、第２膨らみ部を外部と略ドーム状膨らみ部とを繋ぐ空気流通路とし、帽子は、湾曲保持片の重ね閉じ操作で、湾曲保持片の重ね方向に折り畳み可能とされ、帽子被装着者の頭の大きさに合わせて帽子の装着サイズが調整できる調整テープを帽子内面に形成した、ことを特徴とする。【選択図】              図１
2011001646.tif 000002
【特許請求の範囲】
【請求項１】
帽子の内側面に、略ドーム状膨らみ部を形成すべく、湾曲保持片を複数本略並行方向に間隔をあけて取り付けてなり、かつ前記形成した略ドーム状膨らみ部に接するプラムに第２膨らみ部を形成し、該第２膨らみ部を外部と前記略ドーム状膨らみ部とを繋ぐ空気流通路とし、
前記帽子は、前記湾曲保持片の重ね閉じ操作で、前記湾曲保持片の重ね方向に折り畳み可能とされ、
帽子被装着者の頭の大きさに合わせて帽子の装着サイズが調整できる調整テープを帽子内面に形成した、
ことを特徴とする髪型保持帽子。
【発明の詳細な説明】
【技術分野】
【０００１】
本発明は、帽子を装着したときに、髪型を崩したり、あるいは特に、髪型をペチャンコにしたりすることのない、帽子装着時にも髪型を保持できる髪型保持帽子に関するものである。
【背景技術】
【０００２】
従来より、帽子を被りたいが、帽子を被ると、その装着した帽子全体により髪が抑えつけられてしまい、もって髪型を崩したり、髪型がペチャンコになってしまうとの課題があった。
特に、髪の毛が比較的細い人や、髪の毛にボリュームがない人など、帽子を被りたくとも、帽子を装着することで髪型がペチャンコになるなど髪型の崩れが気になり、帽子の装着を敬遠するとの傾向がみられていた。
ここで、帽子の発明に関して考察してみると、従来帽子としての流行性を追求し、ファンション性のある帽子について各種提案はなされているが、上記のような髪型を考慮した帽子の開発はなされていないのが現状であった。
【先行技術文献】
【特許文献】
【０００３】
【特許文献１】特開２００２−６１０１５号公開公報
【発明の概要】
【発明が解決しようとする課題】
【０００４】
かくして、本発明は、前記従来の課題を解消するために創案されたものであって、たとえば帽子を装着したとき、その装着した帽子全体により髪が抑えつけられてしまい、もって髪型が崩されたり、髪型がペチャンコになってしまうことがなく、特に、髪の毛が比較的細い人や、髪の毛にボリュームがない人など、帽子を被りたくとも、帽子を装着することで髪型がペチャンコになるなど髪型の崩れが気になり、帽子の装着を敬遠する人に配慮した髪型保持帽子を提供することを目的とするものである。
【課題を解決するための手段】
【０００５】
本発明による髪型保持帽子は、
帽子の内側面に、略ドーム状膨らみ部を形成すべく、湾曲保持片を複数本略並行方向に間隔をあけて取り付けてなり、かつ前記形成した略ドーム状膨らみ部に接するプラムに第２膨らみ部を形成し、該第２膨らみ部を外部と前記略ドーム状膨らみ部とを繋ぐ空気流通路とし、
前記帽子は、前記湾曲保持片の重ね閉じ操作で、前記湾曲保持片の重ね方向に折り畳み可能とされ、
帽子被装着者の頭の大きさに合わせて帽子の装着サイズが調整できる調整テープを帽子内面に形成した、
ことを特徴とするものである。
【発明の効果】
【０００６】
本発明による髪型保持帽子であれば、帽子を装着したとき、その装着した帽子全体により髪が抑えつけられてしまい、もって髪型が崩されたり、髪型がペチャンコになってしまうことがなく、特に、髪の毛が比較的細い人や、髪の毛にボリュームがない人など、帽子を被りたくとも、帽子を装着することで髪型がペチャンコになるなど髪型の崩れが気になり、帽子の装着を敬遠する人に充分配慮した髪型保持帽子を提供出来るとの優れた効果を奏する。
【図面の簡単な説明】
【０００７】
【図１】本発明の概略構成を説明する概略構成説明図（その１である）。
【図２】本発明の概略構成を説明する概略構成説明図（その２である）。
【図３】本発明による髪型保持帽子の折り畳んだ状態を説明する使用状態説明図（その１である）。
【図４】本発明の概略構成を説明する概略構成説明図（その３である）。
【発明を実施するための形態】
【実施例】
【０００８】
以下本発明による髪型保持帽子を図に示す実施例に基づいて説明する。
図１乃至図４にいわゆるハンチング帽と称される帽子につき髪型保持帽子１を適用した具体例を示す。
ここで、若干、帽子の種類について説明すると、まず、クロッシュと称される帽子がある。Ｃｌｏｃｈｅ（クロッシュ）とは、釣鐘の意味で、クラウンが釣鐘型になった婦人の帽子を意味する。そして、クラウンが深く、ブリムは全体が下向き加減になっているものが多く見受けられる。
【０００９】
次に、キャプリーヌ  （Ｃａｐｅｌｉｎｅ）と称されるものがあり、これは、ブリムの広い帽子の総称であり、波をうった大きなブリム帽子のことで麦わらや、布製のものが多く用いられる。
また、ブルトン（Ｂｒｅｔｏｎ）との帽子は、「ブルトン」が「ブルターニュ人」「ブルトン語」の意味で、フランスのブルターニュ地方の農民が、男女区別なくかぶっている帽子を総称する。普通、後ブリムよりも前ブリムが幅広で、前ブリムのみ折り返った型といわれている。
【００１０】
次に、よく知られているのは、チロリアン・ハット（Ｔｙｒｏｌｅａｎ  ｈａｔ）である。チロル地方で用いられている茶色、または緑色のフエルト製の帽子が始まりとされる。これらは、ブリムが狭く、クラウンに紐飾りや羽毛などが付いている。また、前ブリムが下がり、後ブリムが上った型とも言われる。
【００１１】
セーラー・ハット（Ｓａｉｌｏｒ  ｈａｔ）とは水平帽のことで、ブリム全体が巻き上がった形となっている。また、キャノチェ（Ｃａｎｏｔｉｅｒ）とは、クラウンが平でまっすぐなブリムの帽子をいい、ブリムの幅は、広いものも狭いものもある。
【００１２】
ボンネット（Ｂｏｎｎｅｔ）とは、頭にきっちり合い、上からではなく後からかぶるような感じの帽子で、額を見せるのが特徴となっている。また、ひさしがあるものと、無いものとがある。フランス革命後の19世紀に入ってから、布・麦わらなどで作られ装飾として造花やリボンが付けられ、あごの下でリボンを使用して結ぶようになっていた。現在では、主に、ベビー帽に用いられている。
【００１３】
ハンチング・キャップ（Ｈｕｎｔｉｎｇ  Ｃａｐ）、ハンチング・ベレー（Ｈｕｎｔｉｎｇ  Ｂｅｒｅｔ）などいわゆるハンチング帽と称されるもので、鳥帽子のことである。
前にひさしがついて、クラウンは平に構成される。布または皮で出来ている。フランス語では  キャスケット（Ｃａｓｑｕｅｔｔｅ）といわれる。
【００１４】
キャップ（Ｃａｐ）は、ブリムのない、頭にぴったりあった帽子のことであるが、ブリムが付いたものも形によってキャップと呼ばれるものもある。野球キャップが最も一般的とされる。
ベレー（Ｂｅｒｅｔ）は、丸くて、ぴったり頭に付くふちなしの帽子をいう。一般的に広く用いられているのは、バスク・ベレー（Ｂａｓｑｕｅ  ｂｅｒｅｔ）でクラウンが丸く平で頭周りがきっちりと頭にあった形でフェルトや、やや柔らかいウールで作られている。
【００１５】
トーク（Ｔｏｑｕｅ）とは、普通、浅い円筒形でブリムの全然ない帽子をいう。
しかして、本発明の髪型保持帽子１は上述したいかなる帽子についても適用できるものである。
ところでプリムとは、一般的に「つば」「ひさし」のことをいい、当該プリムは、主に、眼を直射日光から守る役目を果たす。そして、プリム裏、すなわちつば裏は、直射日光の反射をおさえるグレー色が多く使用される。プロタイプの帽子ではステッチが多く入り、より型崩れしにくいよう耐久性をもたせてある。また、細かく言うとつばの形態にもいろいろあり、角つば、丸つば、普通の長さのもの、長めのものなどがある。
【００１６】
しかして、図１から理解されるように、帽子本体３の内側面には、型くずれしない略ドーム状膨らみ部２が形成されている。
該略ドーム状膨らみ部２の形成は、帽子本体３の内側面に、略半円状に湾曲させた湾曲保持片４・・・を複数本略並行方向に間隔をあけて取り付けることにより形成される。
【００１７】
ここで、湾曲保持片４は、その素材につき何ら限定されるものではないが、コストが安価で、耐久性があり、軽量でかつ強度の高いものが好ましい。例えば、いわゆるボーンテープなどが例としてあげられる。ボーンテープとは芯材にポリエチレンなどの強度性の高い合成樹脂材を用い、ポリエチレン製のテープで帯状に形成したものである。
そして、本実施例では、帽子装着者の顔面から頭の後部側に向かって所定の間隔をあけ、帽子本体３の内側面に、略半円状に湾曲させた湾曲保持片４・・・が複数本取り付けられている。
【００１８】
なお、複数本の湾曲保持片４・・・の取り付け方向は、上記の帽子装着者の顔面から頭の後部側に向かう場合に限定されないが、後述するように、当該髪型保持帽子１を折り畳むことを考慮すると、帽子装着者の顔面から頭の後部側に向かう方向に所定間隔をあけて取り付けるのが好ましい。また、取り付けの本数についても何ら限定されるものではなく、帽子の種類や帽子の大きさにより本数を判断すればよい。
【００１９】
なお、図２から理解されるように、帽子内面において、帽子装着者の左右耳との対向箇所に取り付け基点９、９が形成されており、この取り付け基点９、９から複数本の湾曲保持片４・・・が所定の間隔をあけて取り付けられており、かかる取り付け方法により、後述する帽子の折り畳みがスムーズ、かつ綺麗に出来るものとなっている。
【００２０】
次に、図１に示すように、略ドーム状膨らみ部２に接するプラム５には第２膨らみ部６が形成され、該第２膨らみ部６は、外部の外気と前記略ドーム状膨らみ部２内の空気とを繋ぐ空気流通路と機能するものとなる。
【００２１】
よって、この第２膨らみ部６の形成により、この第２膨らみ部６が、本発明による帽子を装着したときに、略ドーム状膨らみ部２内の空気と外部の外気とが流通する空気の流通路として機能し、もって帽子装着者の頭部における蒸れなどを未然に防ぎ、またきわめて良好な通気性を確保できるものとなる。従って、特に梅雨時など特に蒸れやすいとき、あるいは真夏日など発汗の多いときなどにも帽子の良好な装着感が得られるものとなる。
【００２２】
次に、符号７は調整テープを示し、該調整テープ７は、本発明による髪型保持帽子１の内側に取り付けられる。図１から理解されるように、該調整テープ７は、帽子装着者の左右耳側の箇所から頭部の額の箇所にかけて取り付けられており、例えば、左耳側から額を通り、右耳側までに至る箇所までの長さが調整できるようにしてある。よって帽子装着者の頭のサイズにあわせて調整でき、装着フィット感のきわめて優れた帽子を提供するものとしている。
【００２３】
ここで、調整テープ７の材質については何ら限定されないが、一例を挙げれば、止め部８に面ファスナを使用したテープ、すなわち、フックアンドループファスナなどを使用したテープを用いることが考えられる。
なお、帽子を被らないときには、帽子が素早く折りたためて、しかも保管場所をとらないことが望ましい。さらに、乱雑に折り畳むのではなく、綺麗に折り畳むことができ、帽子の外面には皺の残らないよう折り畳めることが好ましい。しかして、本発明の髪型保持帽子１ではその点にも充分に考慮したのである。
【００２４】
すなわち、図３に示すように、帽子を被らないときは、帽子装着者の顔側から頭部の後ろ側に向かい、前記湾曲保持片４を重ねるように折り畳むのである。すると、その湾曲保持片４重ね閉じ操作で、前記湾曲保持片４の重ね方向に帽子をスムーズに折り畳みことが出来、次の機会に、帽子を装着する際にも帽子の外面側に皺が残らないため綺麗な形での装着が出来ることになる。
【符号の説明】
【００２５】
１      髪型保持帽子
２      略ドーム型膨らみ部
３      帽子本体
４      湾曲保持片
５      プラム
６      第２膨らみ部
７      調整テープ
８      止め部
【図１】
2011001646.tif 000003
【図２】
2011001646.tif 000004
【図３】
2011001646.tif 000005
【図４】
2011001646.tif 000006